(57)【要約】【課題】本発明の目的は、事故の発生状況が効果的に伝達される安全教育システム及び安全教育方法を提供することである。【解決手段】本発明による安全教育システムは、事故が発生した事故発生現場の三次元データ（４５）と、前記事故の発生状況を示す事故発生状況動画（６２、６３）の事故発生状況動画データ（４６、４７）とを有する事故事例データを記憶した記憶部（１５）と、視点を指定する視点情報が入力される入力部（２２）と、前記視点情報と前記三次元データとに基づき、前記事故発生現場を前記視点から見た事故発生現場画像（６１）の事故発生現場画像データ（４９）を生成する画像データ生成部（２４）と、前記事故発生現場画像データに基づいて前記事故発生現場画像を表示する表示部（２３）とを具備している。ここで、前記表示部は、前記事故発生状況動画データに基づいて前記事故発生状況動画を表示する。【選択図】図２
2007226515.tif 000002
【特許請求の範囲】
【請求項１】
事故が発生した事故発生現場の三次元データと、前記事故の発生状況を示す事故発生状況動画の事故発生状況動画データとを有する事故事例データを記憶した記憶部と、
視点を指定する視点情報が入力される入力部と、
前記視点情報と前記三次元データとに基づき、前記事故発生現場を前記視点から見た事故発生現場画像の事故発生現場画像データを生成する画像データ生成部と、
前記事故発生現場画像データに基づいて前記事故発生現場画像を表示する表示部と
を具備し、
前記表示部は、前記事故発生状況動画データに基づいて前記事故発生状況動画を表示する
安全教育システム。
【請求項２】
サーバマシンと、
前記サーバマシンにネットワークを介して接続するクライアントマシンと
を具備し、
前記サーバマシンは、前記記憶部と、前記三次元データ及び前記事故発生状況動画データを前記クライアントマシンに対して送信するサーバ側通信部とを備え、
前記クライアントマシンは、前記入力部と、前記画像データ生成部と、前記表示部と、クライアント側記憶部と、前記三次元データ及び前記事故発生状況動画データを受信するクライアント側通信部とを備え、
前記クライアント側記憶部は、前記クライアント側通信部が受信した前記三次元データを記憶し、
前記画像データ生成部は、前記クライアント側記憶部に記憶された前記三次元データに基づいて前記事故発生現場画像データを生成し、
前記表示部は、前記クライアント側通信部が受信した前記事故発生状況動画データに基づいて前記事故発生状況動画を表示する
請求項１の安全教育システム。
【請求項３】
前記事故発生状況動画データは、
前記事故の当事者の視点から見た前記事故発生状況動画としての事故発生状況当事者視点動画の事故発生状況当事者視点動画データと、
前記当事者の画像を含む前記事故発生状況動画としての事故発生状況全体像動画についての事故発生状況全体像動画データと
を含む
請求項１又は２の安全教育システム。
【請求項４】
前記事故事例データは、前記事故発生現場において所定の安全対策がとられて前記事故が発生しない状況を示す安全対策状況動画の安全対策状況動画データを有し、
前記表示部は、前記安全対策状況動画データに基づいて前記安全対策状況動画を表示する
請求項１乃至３から選択される１請求項の安全教育システム。
【請求項５】
検索部を具備し、
前記記憶部は、前記事故事例データを有する事故事例データベースを記憶し、
前記事故事例データは、前記事故に関する文字情報の文字情報データを有し、
前記検索部は、前記事故事例データベースを検索し、前記入力部から入力された検索キーワードを前記文字情報に含む前記事故事例データを前記検索キーワードと関連する前記事故事例データとして検出し、
前記表示部は、前記検索キーワードと関連する前記事故事例データが存在することを表示する
請求項１乃至４から選択される１請求項の安全教育システム。
【請求項６】
画像データ生成部が、事故が発生した事故発生現場の三次元データと、入力部から入力された視点情報とに基づいて、前記事故発生現場を前記視点情報が指定する視点から見た事故発生現場画像の事故発生現場画像データを生成するステップと、
表示部が、前記事故発生現場画像データに基づいて前記事故発生現場画像を表示するステップと、
前記表示部が、前記事故の発生状況を示す事故発生状況動画を表示するステップとを具備する
安全教育方法。
【請求項７】
サーバマシンが、前記三次元データと、前記事故発生状況動画の事故発生状況動画データとを記憶する記憶部と、前記三次元データ及び前記事故発生状況動画データをクライアントマシンに対して送信するサーバマシン側通信部とを備え、
前記クライアントマシンが、前記入力部と、前記画像データ生成部と、前記表示部と、前記サーバマシンから送信された前記三次元データ及び前記事故発生状況動画データを受信するクライアントマシン側通信部と、前記クライアントマシン側通信部が受信した前記三次元データを記憶するクライアント側記憶部とを備え、
前記事故発生現場画像データを生成するステップにおいて、前記画像データ生成部は、前記クライアント側記憶部に記憶された前記三次元データに基づいて前記事故発生現場画像を生成し、
前記事故発生状況動画を表示するステップにおいて、前記表示部は、前記クライアント側通信部が受信した前記事故発生状況動画データに基づいて前記事故発生状況動画を表示する
請求項６の安全教育方法。
【請求項８】
前記記憶部は、事故事例データを有する事故事例データベースと、現地情報データを有する現地情報データベースとを記憶し、
前記事故事例データは、前記事故発生状況動画データと、前記三次元データと、前記事故が発生した際に前記事故の当事者が行なっていた作業としての事故発生作業とを関連付けており、
前記現地情報データは、前記クライアントマシンと、前記クライアントマシンが設置された現地で実施される作業としての実施作業とを関連付けており、
前記サーバマシンが有する検索部が、前記現地情報データベースを検索し、前記事故発生作業としての第１事故発生作業と同一の前記実施作業に関連付けられた前記クライアントマシンとしての第１クライアントマシンを検出するステップと、
前記サーバ側通信部が、前記第１クライアントマシンに、前記第１事故発生作業と関連する前記事故事例データの存在を通知するステップと
を具備する
請求項７の安全教育方法。
【請求項９】
前記記憶部は、事故事例データを有する事故事例データベースと、現地情報データを有する現地情報データベースとを記憶し、
前記事故事例データは、前記事故発生状況動画データと、前記三次元データと、前記事故が発生した際に前記事故の当事者が行なっていた作業としての事故発生作業とを関連付けており、
前記現地情報データは、前記クライアントマシンと、前記クライアントマシンが設置された現地で実施される実施作業とを関連付けており、
前記サーバマシンが有する検索部が、前記事故事例データベースを検索し、前記実施作業としての第１実施作業と同一の前記事故発生作業を関連付けている前記事故事例データとしての第１事故事例データを検出するステップと、
前記サーバ側通信部が、前記第１実施作業に関連付けられた前記クライアントマシンに、前記第１事故事例データの存在を通知するステップと
を具備する
請求項７の安全教育方法。
【請求項１０】
前記表示部が、前記事故に関する質問を表示するステップを具備し、
前記質問を表示するステップは前記事故発生状況動画を表示するステップに時間的に先行する
請求項６乃至９から選択される１請求項の安全教育方法。
【請求項１１】
三次元データ生成部が、前記事故発生現場となった構造物の設計図面データに基づいて前記三次元データを生成するステップを具備する
請求項６乃至１０から選択される１請求項の安全教育方法。
【発明の詳細な説明】
【技術分野】
【０００１】
本発明は、建築物の建設及び改修、道路工事、設備の建設、点検及び改修、船舶の建造、整備及び改修のような現場作業に係る安全教育のための安全教育システム及び安全教育方法に関する。
【背景技術】
【０００２】
建築物の建設及び改修、道路工事、設備の建設、点検及び改修、船舶の建造、整備及び改修のような現場作業においては、事故を防止することが重要である。事故を防止するために、作業員や作業監督者に対する安全教育が実施されている。
【０００３】
特許文献１は、従来の「現場安全資料の作成方法および作成システム」を開示している。この作成方法および作成システムおいては、実際に作業する現場の撮影画像（デジタルカメラにより撮影した画像等）に安全対策手段（セーフティーコーン、ガードマン、歩行者用通路等）の画像と作業情報表示（配管埋設箇所表示、既設配管存在箇所表示等）の画像とを重ね合わせて表示した資料を作成する。この作成方法および作成システムによれば、現場安全教育用資料を容易にかつ短時間で作成することができる。また、その資料を用いて安全教育を行なえば、作業員に、実際に作業する現場での作業内容と併せてその現場に安全対策手段をどう配置するかを容易にかつ高い関心を持たせて理解させることができる。
【０００４】
安全教育に関しては、作業員等に過去の事故事例を知らせることも有効である。過去の事故事例からは、どのようなことが事故の原因となり得るか、事故を防ぐためにはどのような安全対策をとれば良いかを学ぶことができる。さらに、事故がどのような重大な結果を招くかを知ることで、事故防止の重要性が強く認識される。
【０００５】
過去の事故事例が企業単位でまとめられ、書類による事故事例集が従来から作成されている。書類による事故事例集１０９を図２０に示す。書類による事故事例集１０９には、事故の発生日時、発生場所、発生状況、職種、状況図、原因、対策、ワンポイントアドバイス等が記載されている。
【０００６】
ここで、事故の発生状況を理解するためには、事故発生時の人や機器の動作を知る必要がある。しかしながら、書類による事故事例集では、人や機器の動作を十分に伝えることができない。
【０００７】
また、書類による事故事例集には文字情報及び図や写真のような二次元情報しか載せられないから、書類による事故事例集から事故の発生現場を立体的に把握することは困難である。
【特許文献１】特開２００２−１３９９８１号公報
【発明の開示】
【発明が解決しようとする課題】
【０００８】
本発明の目的は、事故の発生状況が効果的に伝達される安全教育システム及び安全教育方法を提供することである。
【課題を解決するための手段】
【０００９】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１０】
本発明による安全教育システムは、事故が発生した事故発生現場の三次元データ（４５）と、前記事故の発生状況を示す事故発生状況動画（６２、６３）の事故発生状況動画データ（４６、４７）とを有する事故事例データを記憶した記憶部（１５）と、視点を指定する視点情報が入力される入力部（２２）と、前記視点情報と前記三次元データとに基づき、前記事故発生現場を前記視点から見た事故発生現場画像（６１）の事故発生現場画像データ（４９）を生成する画像データ生成部（２４）と、前記事故発生現場画像データに基づいて前記事故発生現場画像を表示する表示部（２３）とを具備している。ここで、前記表示部は、前記事故発生状況動画データに基づいて前記事故発生状況動画を表示する。
【００１１】
本発明による安全教育システムは、サーバマシン（１）と、前記サーバマシンにネットワーク（３）を介して接続するクライアントマシン（２）とを具備している。ここで、前記サーバマシンは、前記記憶部と、前記三次元データ及び前記事故発生状況動画データを前記クライアントマシンに対して送信するサーバ側通信部（１４）とを備えている。一方、前記クライアントマシンは、前記入力部と、前記画像データ生成部と、前記表示部と、クライアント側記憶部（２５）と、前記三次元データ及び前記事故発生状況動画データを受信するクライアント側通信部（２６）とを備えている。そして、前記クライアント側記憶部は、前記クライアント側通信部が受信した前記三次元データを記憶する。前記画像データ生成部は、前記クライアント側記憶部に記憶された前記三次元データに基づいて前記事故発生現場画像データを生成する。前記表示部は、前記クライアント側通信部が受信した前記事故発生状況動画データに基づいて前記事故発生状況動画を表示する。
【００１２】
本発明による安全教育システムにおいては、前記事故発生状況動画データは、前記事故の当事者（７１、７２）の視点から見た前記事故発生状況動画としての事故発生状況当事者視点動画（６３）の事故発生状況当事者視点動画データ（４６）と、前記当事者の画像を含む前記事故発生状況動画としての事故発生状況全体像動画（６２）についての事故発生状況全体像動画データ（４７）とを含む。
【００１３】
本発明による安全教育システムにおいては、前記事故事例データは、前記事故発生現場において所定の安全対策がとられて前記事故が発生しない状況を示す安全対策状況動画（６４）の安全対策状況動画データ（４８）を有する。そして、前記表示部は、前記安全対策状況動画データに基づいて前記安全対策状況動画を表示する。
【００１４】
本発明による安全教育システムは、検索部（１３）を具備する。ここで、前記記憶部は、前記事故事例データを有する事故事例データベース（４１）を記憶する。前記事故事例データは、前記事故に関する文字情報の文字情報データ（４４）を有する。前記検索部は、前記事故事例データベースを検索し、前記入力部から入力された検索キーワードを前記文字情報に含む前記事故事例データを前記検索キーワードと関連する前記事故事例データとして検出する。前記表示部は、前記検索キーワードと関連する前記事故事例データが存在することを表示する。
【００１５】
本発明による安全教育方法は、画像データ生成部（２４）が、事故が発生した事故発生現場の三次元データ（４５）と、入力部（２２）から入力された視点情報とに基づいて、前記事故発生現場を前記視点情報が指定する視点から見た事故発生現場画像（６１）の事故発生現場画像データ（４９）を生成するステップ（Ｓ３２２）と、表示部（２３）が、前記事故発生現場画像データに基づいて前記事故発生現場画像を表示するステップ（Ｓ３２３）と、前記表示部が、前記事故の発生状況を示す事故発生状況動画（６２、６３）を表示するステップ（Ｓ３４）とを具備する。
【００１６】
本発明による安全教育方法においては、サーバマシン（１）が、前記三次元データと、前記事故発生状況動画の事故発生状況動画データとを記憶する記憶部（１５）と、前記三次元データ及び前記事故発生状況動画データをクライアントマシンに対して送信するサーバマシン側通信部（１４）とを備えている。そして、前記クライアントマシンが、前記入力部と、前記画像データ生成部と、前記表示部と、前記サーバマシンから送信された前記三次元データ及び前記事故発生状況動画データを受信するクライアントマシン側通信部（２６）と、前記クライアントマシン側通信部が受信した前記三次元データを記憶するクライアント側記憶部（２５）とを備えている。ここで、前記事故発生現場画像データを生成するステップにおいて、前記画像データ生成部は、前記クライアント側記憶部に記憶された前記三次元データに基づいて前記事故発生現場画像を生成する。前記事故発生状況動画を表示するステップにおいて、前記表示部は、前記クライアント側通信部が受信した前記事故発生状況動画データに基づいて前記事故発生状況動画を表示する。
【００１７】
本発明による安全教育方法においては、前記記憶部は、事故事例データを有する事故事例データベース（４１）と、現地情報データを有する現地情報データベース（４２）とを記憶する。前記事故事例データは、前記事故発生状況動画データと、前記三次元データと、前記事故が発生した際に前記事故の当事者が行なっていた作業としての事故発生作業とを関連付けている。前記現地情報データは、前記クライアントマシンと、前記クライアントマシンが設置された現地で実施される作業としての実施作業とを関連付けている。本発明による安全教育方法は、前記サーバマシンが有する検索部（１３）が、前記現地情報データベースを検索し、前記事故発生作業としての第１事故発生作業と同一の前記実施作業に関連付けられた前記クライアントマシンとしての第１クライアントマシンを検出するステップ（Ｓ２２）と、前記サーバ側通信部が、前記第１クライアントマシンに、前記第１事故発生作業と関連する前記事故事例データの存在を通知するステップ（Ｓ２３）とを具備する。
【００１８】
本発明による安全教育方法においては、前記記憶部は、事故事例データを有する事故事例データベース（４１）と、現地情報データを有する現地情報データベース（４２）とを記憶する。前記事故事例データは、前記事故発生状況動画データと、前記三次元データと、前記事故が発生した際に前記事故の当事者が行なっていた作業としての事故発生作業とを関連付けている。前記現地情報データは、前記クライアントマシンと、前記クライアントマシンが設置された現地で実施される実施作業とを関連付けている。本発明による安全教育方法は、前記サーバマシンが有する検索部（１３）が、前記事故事例データベースを検索し、前記実施作業としての第１実施作業と同一の前記事故発生作業を関連付けている前記事故事例データとしての第１事故事例データを検出するステップ（Ｓ２２’）と、前記サーバ側通信部が、前記第１実施作業に関連付けられた前記クライアントマシンに、前記第１事故事例データの存在を通知するステップ（Ｓ２３’）とを具備する。
【００１９】
本発明による安全教育方法は、前記表示部が、前記事故に関する質問を表示するステップ（Ｓ３３）を具備する。ここで、前記質問を表示するステップは前記事故発生状況動画を表示するステップに時間的に先行する。
【００２０】
本発明による安全教育方法は、三次元データ生成部（１２）が、前記事故発生現場となった構造物の設計図面データ（４３）に基づいて前記三次元データを生成するステップ（Ｓ１）を具備する。
【発明の効果】
【００２１】
本発明によれば、事故の発生状況が効果的に伝達される安全教育システム及び安全教育方法が提供される。
【発明を実施するための最良の形態】
【００２２】
添付図面を参照して、本発明による安全教育システム及び安全教育方法を実施するための最良の形態を以下に説明する。
【００２３】
図１は、本発明の実施形態に係る安全教育システムの全体構成を示している。安全教育システムは、サーバマシン１と、ネットワーク３を介してサーバマシン１に接続されたクライアントマシン２とを備えている。クライアントマシン２は、現地Ａ〜Ｃにそれぞれ設置されている。現地Ａ〜Ｃにおいては、現場作業が実施される。
【００２４】
図２は、サーバマシン１の機能ブロック図を示している。サーバマシン１は、制御部１１と、三次元データ生成部１２と、検索部１３と、通信部１４と、記憶部１５と、監視部１６とを備えたコンピュータである。サーバマシン１は、通信部１４を介してネットワーク３に接続されている。制御部１１は、三次元データ生成部１２と、検索部１３と、通信部１４と、記憶部１５と、監視部１６とを制御する。記憶部１５は、事故事例データベース４１と、現地情報データベース４２と、設計図面データ４３と、事故に関する文字データ４４と、事故発生現場の三次元データ４５と、事故発生状況当事者視点動画データ４６と、事故発生状況全体像動画データ４７と、安全対策状況動画データ４８とを記憶している。ここで、設計図面データ４３は、事故発生現場となった構造物の設計図面のデータである。事故に関する文字データ４４は、事故報告書に記載された文字情報や、後述する（Ｗｅｂ）ページを生成するために必要な文字情報のデータである。事故発生現場の三次元データ４５は、事故が発生した現場の三次元データである。事故発生状況当事者視点動画データ４６は、事故の発生状況を事故の当事者の視点から示す動画としての事故発生状況当事者視点動画のデータである。事故発生状況全体像動画データ４７は、事故の発生状況を当時者以外の第三者の視点から示す動画であって、且つ、当事者の画像を含む動画としての事故発生状況全体像動画のデータである。なお、第三者の視点は、事故の目撃者の視点であっても良く、事故の全体像を把握することが可能な仮想的な視点であっても良い。安全対策状況動画データ４８は、事故発生現場において所定の安全対策がとられ、事故が発生しない状況を示す動画としての安全対策状況動画のデータである。
【００２５】
図３は、事故事例データベース４１について示している。事故事例データベース４１は、各事故事例についての事故事例データを有している。事故事例データは、事故ＩＤと、発生日時と、発生場所と、災害の型と、事故が発生した際に事故の当事者が行なっていた作業としての事故発生作業と、事故発生現場の三次元データ４５と、事故発生状況当時者視点動画データ４６と、事故発生状況全体像動画データ４７と、安全対策状況動画データ４８と、事故に関する文字データ４４とを有しており、これらは互いに関連付けられている。
【００２６】
事故ＩＤがＭ０２４である事故事例データを例として説明する。この事故事例の発生日時は、平成○○年△△月××日の１０時５０分である。発生場所は、Ａ０００１の現地ＩＤで示されており、現地Ａである。災害の型は、墜落・転落である。事故発生作業は、ボイラー点検である。事故に関する文字データ４４は、書類による事故事例集１０９に記載されている文字情報を含んでいる。
【００２７】
事故事例データベース４１は、事故ＩＤ、発生日時、発生場所、災害の型、事故発生作業、又は、事故に関する文字データから、事故事例データを検索することが可能となされている。
【００２８】
図４は、現地情報データベース４２について示している。現地情報データベース４２は、各現地についての現地情報データを有している。現地情報データは、現地ＩＤと、現地名と、現地で実施される作業としての実施作業と、現地に設置されているクライアントマシン２のＩＤとしてのクライアントマシンＩＤとを有し、これらは互いに関連付けられている。。
【００２９】
現地ＩＤがＡ０００１である現地情報データを例として説明する。現地名は、現地Ａである。実施作業は、ボイラー点検である。クライアントマシンＩＤは、Ｃ０００１である。なお、実施作業は、一つであっても複数であっても良い。
【００３０】
図５は、クライアントマシン２の機能ブロック図を示している。クライアントマシン２は、制御部２１と、入力部２２と、表示部２３と、画像データ生成部２４と、記憶部２５と、通信部２６とを備えたコンピュータである。制御部２１は、入力部２２と、表示部２３と、画像データ生成部２４と、記憶部２５と、通信部２６とを制御する。記憶部２５は、サーバマシン１から受信した事故発生現場の三次元データ４５を記憶する。クライアントマシン２は、通信部２６を介してネットワーク３に接続されている。
【００３１】
サーバマシン１とクライアントマシン２とは、互いの通信部１４及び２６を介して通信する。
【００３２】
図６は、本発明の実施形態に係る安全教育方法を示すフローチャートである。この安全教育方法は、本発明の実施形態に係る安全教育システムを使用する方法であり、ステップＳ１と、ステップＳ２又はＳ２’と、ステップＳ３とを有している。ここで、ステップＳ１は、事故事例に関するデータの生成・記憶をするステップであり、ステップＳ２又はＳ２’は、事故事例の存在の通知をするステップであり、ステップＳ３は、事故事例の提供をするステップである。
【００３３】
ステップＳ１においては、サーバマシン１は、事故事例に関するデータ４１〜４８を生成し、又は読み込んで記憶部１５に記憶する。例えば、三次元データ生成部１２が事故発生現場となった構造物の設計図面データ４３から事故発生現場の三次元データ４５を生成し、記憶部１５が生成された事故発生現場の三次元データ４５を記憶する。多くの場合、構造物はＣＡＤにより設計されるから、ＣＡＤにより作成されたデータである設計図面データ４３から事故発生現場の三次元データ４５を生成することとすれば、事故発生現場の三次元データ４５が容易に作成される。
【００３４】
図７は、ステップＳ２を詳細に示すフローチャートである。ステップＳ２は、ステップＳ２１と、ステップＳ２２と、ステップＳ２３とを有している。ここで、ステップＳ２１は、事故事例データが追加されたことの検出をするステップであり、ステップＳ２２は、追加された事故事例データに登録されている事故発生作業と同一の実施作業を登録している現地情報データの検出をするステップであり、ステップＳ２３は、追加された事故事例データの存在の通知をするステップである。
【００３５】
ステップＳ２１においては、記憶部１５を監視している監視部１６が事故事例データベース４１に新しい事故事例データが追加されたことを検出する。
【００３６】
ステップＳ２２においては、検索部１３が現地情報データベース４２を検索し、ステップＳ２１において検出された事故事例データに登録されている事故発生作業と同一の実施作業を登録している現地情報データを検出する。
【００３７】
ステップＳ２３においては、通信部１４が、ステップＳ２２において検出された現地情報データに登録されているクライアントマシンＩＤが示すクライアントマシン２に対し、ステップＳ２１において検出された事故事例データの存在をメール等により通知する。
【００３８】
事故ＩＤがＭ０２５である事故事例データが新しく追加された場合について、ステップＳ２を具体的に説明する。監視部１６は、事故ＩＤがＭ０２５である事故事例データを検出する（ステップＳ２１）。検索部１３は、事故ＩＤがＭ０２５である事故事例データの事故発生作業、すなわちストーカ点検を実施作業として登録している現地情報データ（現地ＩＤ：Ａ０００２）を検出する（ステップＳ２２）。ここで、現地ＩＤがＡ０００２である現地情報データに登録されているクライアントマシンＩＤはＣ０００２であるから、通信部１４は、クライアントマシンＩＤがＣ０００２であるクライアントマシン２に事故ＩＤがＭ０２５である事故事例データの存在を通知する（ステップＳ２３）。
【００３９】
なお、ステップＳ２においては、ステップＳ２１としてサーバマシン１のオペレータが事故事例データベース４１の有する事故事例データの中から一つ又は複数を指定し、指定された事故事例データに関してステップＳ２２及びステップＳ２３の処理を行なうこととしても良い。
【００４０】
図８は、ステップＳ２’を詳細に示すフローチャートである。ステップＳ２’は、ステップＳ２１’と、ステップＳ２２’と、ステップＳ２３’とを有している。ここで、ステップＳ２１’は、実施作業が追加されたことの検出をするステップであり、ステップＳ２２’は、追加された実施作業と関連する事故事例データの検出をするステップであり、ステップＳ２３’は、追加された実施作業と関連する事故事例データの存在の通知をするステップである。
【００４１】
ステップＳ２１’においては、記憶部１５を監視している監視部１６が現地情報データベース４２に新しい現地情報データが追加されたこと、又は、既存の現地情報データに新しい実施作業が追加されたことにより、実施作業が追加されたことを検出する。
【００４２】
ステップＳ２２’においては、検索部１３が事故事例データベース４１を検索し、ステップＳ２１’において検出された新しい現地情報データに登録されている実施作業、又は、ステップＳ２１’において検出された新しい実施作業と同一の事故発生作業を登録している事故事例データを検出する。
【００４３】
ステップＳ２３’においては、通信部１４が、ステップＳ２１’の検出に係る現地情報データに登録されているクライアントＩＤが示すクライアントマシン２に対し、ステップＳ２２’において検出された事故事例データの存在をメール等により通知する。
【００４４】
現地ＩＤがＡ０００３である現地情報データが新しく追加された場合について、ステップＳ２’を具体的に説明する。監視部１６は、現地ＩＤがＡ０００３である現地情報データを検出する（ステップＳ２１’）。検索部１３は、現地ＩＤがＡ０００３である現地情報データに登録されている実施作業、すなわちボイラー点検を事故発生作業として登録している事故ＩＤがＭ０２４の事故事例データを検出する（ステップＳ２２’）。ここで、現地ＩＤがＡ０００３である現地情報データに登録されているクライアントマシンＩＤはＣ０００３であるから、通信部１４は、クライアントマシンＩＤがＣ０００３であるクライアントマシン２に事故ＩＤがＭ０２４である事故事例データの存在を通知する（ステップステップＳ２３’）。
【００４５】
なお、ステップＳ２’においては、ステップＳ２１’としてオペレータが現地情報データベース４１の有する現地情報データの中から一つ又は複数を指定し、指定された現地情報データに登録されている実施作業に関してステップＳ２２’以下の処理を行うこととしても良い。
【００４６】
ステップＳ２及びＳ２’により、クライアントマシン２に対し、そのクライアントマシン２が設置されている現地に関連した事故事例データの存在が通知される。
【００４７】
図９は、ステップＳ３を詳細に示すフローチャートである。ステップＳ３は、ステップＳ３１又はＳ３１’と、ステップＳ３２と、ステップＳ３３と、ステップＳ３４と、ステップＳ３５とを有している。
【００４８】
ステップＳ３１においては、表示部２３は、図１２に示す事故事例集のメインメニューページ１０１を表示する。事故事例集のメインメニューページ１０１は、ボイラ点検編選択キー５１を含んでいる。ここで、作業者又は作業監督者のような安全教育システム又は安全教育方法の使用者（以下、使用者とする）が、ボイラ点検編選択キー５１を選択するように入力部２２を操作することでボイラ点検編メニューを選択すると、表示部２３は、図１３に示すボイラー点検編メニューページ１０２を表示する。ボイラー点検編メニューページ１０２は、事例１選択キー５２を含んでいる。ここで、使用者が、事例１選択キー５２を選択するように入力部２２を操作すると、「事例１  洗面所から現場に戻る途中に右半身を打撲した事故事例」が選択される。事故事例が選択されるとステップＳ３２に進む。
【００４９】
なお、事故事例を選択するステップＳ３１においては、災害の型により分類された事故事例の中から選択することとしても良く、発生日時により分類された事故事例の中から選択することとしても良く、事故が発生した現地により分類された事故事例から選択することとしても良く、入力された検索キーワードに関連する事故事例の中から選択することとしても良い。
【００５０】
入力された検索キーワードに関連する事故事例の中から事故事例を選択するステップＳ３１’ついて、図１０に示すフローチャートを用いて説明する。ステップＳ３１’は、ステップＳ３１１’と、ステップＳ３１２’と、ステップＳ３１３’と、ステップＳ３１４’とを有している。ここで、ステップＳ３１１’は、検索キーワードの入力をするステップであり、ステップＳ３１２’は、事故事例データの検出をするステップであり、ステップＳ３１３’は、事故事例の表示をするステップであり、ステップＳ３１４’は、事故事例の選択をするステップである。
【００５１】
ステップＳ３１１’においては、使用者が入力部２２から検索キーワードを入力する。
【００５２】
ステップＳ３１２’においては、検索部１３が事故事例データベース４１を検索し、ステップＳ３１１’において入力された検索キーワードを事故に関する文字データ４４に含む事故事例データを検出する。なお、検索キーワードとしては、事故の発生日時、発生場所、発生状況、災害の型、事故の当事者の職種、原因、対策等に関する言葉が例示される。
【００５３】
ステップＳ３１３’においては、表示部２３がステップＳ３１２’において検出された事故事例データの存在を、ボイラー点検編メニューページ１０２のように表示する。
【００５４】
ステップＳ３１４’においては、使用者は、入力部２２を操作し、ステップＳ３１３’において事故事例データの存在が表示された事故事例の中から一つを選択する。
【００５５】
使用者が検索キーワードとして「配管工」を入力した場合について、ステップＳ３１’を具体的に説明する。使用者は、検索キーワードとして「配管工」を入力部２２から入力する（ステップＳ３１１’）。検索部１３は、事故事例データベース４１を検索し、「配管工」を事故に関する文字データ４４に含む事故事例データを検出する。ここで、事故ＩＤがＭ０２４である事故事例データに登録されている事故に関する文字データ４４は、書類による事故事例集１０９に記載されている文字情報を含んでいるから、検索部１３は、事故ＩＤがＭ０２４である事故事例データを検出する（ステップＳ３１２’）。表示部２３は、事故ＩＤがＭ０２４である事故事例データの存在をボイラー点検編メニューページ１０２のように表示する（ステップＳ３１３’）。使用者が、ボイラー点検編メニューページ１０２に示す事例１選択キー５２を選択するときにするように入力部２２を操作すると、ステップＳ３２に進む（ステップＳ３１４’）。
【００５６】
ステップＳ３２においては、表示部２３は、図１４に示す事故発生現場画像を表示するページ１０３を表示する。事故発生現場画像を表示するページ１０３は、事故発生現場画像６１と、視点操作キー５３と、事故に関する質問を表示するページへのリンク５４とを含んでいる。ここで、事故発生現場画像を表示するページ１０３にはこの事故事例に関する説明が表示される。説明には、「これは、作業者Ａ７１が、ボイラーの２号炉７３から出て、ＲＣ柱７４とドラム缶７５の間（４００ｍｍ）を通り、場内洗面所に向かっているところです。通路に作業者Ｂ７２がいたため、マシンハッチ７６の上を通ったみたいです。」と記載されている。
【００５７】
ステップＳ３２の詳細について図１１に示すフローチャートを参照して説明する。ステップＳ３２は、ステップＳ３２１と、ステップＳ３２２と、ステップＳ３２３とを有している。ここで、ステップＳ３２１は、視点情報の入力をするステップであり、ステップＳ３２２は、事故発生現場画像の生成をするステップであり、ステップＳ３２３は、生成された事故発生現場画像の表示をするステップである。
【００５８】
ステップＳ３２１においては、使用者は、複数ある視点操作キー５３のいずれかを選択するように入力部２２を操作し、事故発生現場を見る視点の回転、移動、拡大・縮小等を指定する視点情報を入力する。
【００５９】
ステップＳ３２２においては、画像データ生成部２４は、ステップＳ３２１において入力された視点情報と、記憶部２５に記憶された事故発生現場の三次元データ４５とに基づいて、事故発生現場を視点情報が指定する視点から見た事故発生現場画像６１の事故発生現場画像データ４９を生成する。ここで、記憶部２５に記憶された事故発生現場の三次元データ４５は、通信部１４が送信して通信部２６が受信し、記憶部２５が記憶したものである。
【００６０】
ステップＳ３２３においては、表示部２３は、ステップＳ３２２において生成された事故発生現場画像データ４９に基づいて事故発生現場画像６１を表示する。
【００６１】
使用者は、視点を自由に変えて事故発生現場を見ることができるため、事故発生現場を立体的に把握することができる。視点の回転が水平面内の回転と垂直面内の回転とを含み、視点の移動が前後、左右、上下の移動を含むとき、事故発生現場が非常に良く把握される。
【００６２】
ステップＳ３２において、事故に関する質問を表示するページへのリンク５４を選択するように入力部２２を操作すると、ステップＳ３３に進む。
【００６３】
ステップＳ３３においては、表示部２３は、図１５に示す事故に関する質問を表示するページ１０４を表示する。事故に関する質問を表示するページ１０４は、この事故事例に関する質問と、この質問の正解枝と不正解枝とを含む選択枝と、事故発生状況全体像動画を表示するページへのリンク５５とを含んでいる。使用者が、正解を見るために、事故発生状況全体像動画を表示するページへのリンク５５を選択するように入力部２２を操作すると、ステップＳ３４に進む。
【００６４】
ステップＳ３４においては、表示部２３は、図１６に示す事故発生状況全体像動画を表示するページ１０５を表示する。事故発生状況全体像動画を表示するページ１０５は、事故発生状況全体像動画６２と、事故に関する質問を表示するページ１０４に表示された質問の正解と、事故発生状況当事者視点動画を表示するページへのリンク５６とを含んでいる。ここで、表示部２３は、通信部１４が送信して通信部２６が受信した事故発生状況全体像動画データ４７に基づいて事故発生状況全体像動画６２を表示する。使用者は、事故発生状況全体像動画６２を見ることで、作業者Ａ７１が、ボイラーの２号炉７３から出て、マシンハッチ７６の上を通り、場内洗面所に行ったことと、その間に作業者Ｂ７２がマシンハッチの蓋７６ａを取り外したことと、洗面所から戻ってきた作業者Ａ７１がマシンハッチの開口部７６ｂから墜落したこととを理解する。
【００６５】
使用者は、予め事故に関する質問について考えているので、事故についての関心が高まった状態で事故の発生状況についての動画を見ることになる。
【００６６】
使用者は、事故発生現場を立体的に把握し、さらに、事故発生状況全体像動画６２において事故の当時者である作業者Ａ７１及び作業者Ｂ７２の動作する画像を見ることで、事故の発生状況を的確に理解することができる。
【００６７】
使用者が、事故発生状況当事者視点動画を表示するページへのリンク５６を選択するように入力部２２を操作すると、表示部２３は図１７に示す事故発生状況当事者視点動画を表示するページ１０６を表示する。
【００６８】
事故発生状況当事者視点動画を表示するページ１０６は、事故発生状況当事者視点動画６３と、安全対策状況動画を表示するページへのリンク５７とを含んでいる。ここで、表示部２３は、通信部１４が送信して受信部２６が受信した事故発生状況当事者視点動画データ４６に基づいて事故発生状況当事者視点動画６３を表示する。使用者は、事故発生状況当事者視点動画６３により、事故の発生状況を事故の当時者である作業者Ａ７１の視点から確認することができる。使用者は、作業者Ａ７１の視点からは、作業者Ｂ７２及び作業者Ｂ７２の持つマシンハッチの蓋７６ａがＲＣ柱７４のかげになって見えにくいことと、マシンハッチの開口部７６ｂがＲＣ柱７４と壁７７のかげになって見えにくいこととを理解できる。
【００６９】
使用者は、事故発生状況全体像動画６２と事故発生状況当事者視点動画６３の両方を見ることで、事故の状況を的確に理解することができる。
【００７０】
ステップＳ３４において、使用者が、この事故を防ぐ安全対策を見るために、安全対策状況動画を表示するページへのリンク５７を選択するように入力部２２を操作すると、ステップＳ３５に進む。
【００７１】
ステップＳ３５においては、表示部２３は、図１８に示す安全対策状況動画を表示するページ１０７を表示する。安全対策状況動画を表示するページ１０７は、安全対策状況動画６４と、ワンポイントアドバイスを表示するページへのリンク５８とを含んでいる。ここで、表示部２３は、通信部１４から送信されて通信部２６が受信した安全対策状況動画データ４８に基づいて安全対策状況動画６４を表示する。使用者は、安全対策状況動画６４を見ることで、作業者Ｂ７２がマシンハッチの蓋７６ａを取り外す前に手摺り７８をマシンハッチ７６の周囲に設置し、クレーン７９を用いてマシンハッチの蓋７６ａを取り外すことと、戻ってきた作業者Ａ７１が手摺り７８のおかげでマシンハッチの開口部７６ｂから墜落しないこととを確認する。すなわち、使用者は、適切な安全対策と、安全対策により事故が防がれることとを確認することができる。
【００７２】
使用者は、事故の発生状況を的確に理解し、さらに、安全対策状況動画６４を見ることで、どのような安全対策をとれば良いかを具体的に理解することができる。どのような安全対策をとれば良いかが動画により示されると、安全対策上の措置の時間的な先後関係が明確になる。
【００７３】
使用者が、この事故の安全対策に関するワンポイントアドバイスを見るため、ワンポイントアドバイスを表示するページへのリンク５８を選択するように入力部２２を操作すると、表示部２３は、ワンポイントアドバイスを表示するページ１０８を表示する。図１９に示すように、ワンポイントアドバイスを表示するページ１０８には、ワンポイントアドバイスとして「マシンハッチは、手摺りを取り付けてから開くこと」と表示される。
【００７４】
なお、ページ１０１〜１０８としては、サーバマシン１からクライアントマシン２に送られるデータ４４〜４８に基づいてクライアントマシン２上で動作するブラウザが生成するＷｅｂページが例示される。
【００７５】
ＨＴＭＬの利用は、クライアントマシン２のプラットフォームの影響を受けないコンテンツの提供を可能にする。
【００７６】
動画６１〜６４をコンピュータグラフィックス（ＣＧ）によるアニメーションにより作成すると、データの再利用が容易になる。また、ＣＧアニメーションを利用することにより、実写での撮影が危険な事故についても事故を再現する動画を作成できる。
【００７７】
また、物理的な力が人体に与える影響をリアルタイムにシミュレーションする人体シミュレーションソフトが知られているから、このソフトを用いて再現動画に登場する作業者Ａ７１及び作業者Ｂ７２のような人物の動きを計算すれば、リアルな再現動画が作成される。リアルな再現動画は、安全教育の効果を大きくする。
【００７８】
さらに、事故発生現場の三次元データ４５をデータ軽量化技術により軽量化しておけば、三次元データのネットワーク配信が容易になる。
【００７９】
上述の説明においては、サーバマシン１及びクライアントマシン２を異なるコンピュータとして説明したが、サーバマシン１とクライアントマシン２とが同一のコンピュータであっても良い。その場合は、制御部１１と制御部２１とが一つの制御部を形成し、記憶部１５と記憶部２５とが一つの記憶部を形成する。
【図面の簡単な説明】
【００８０】
【図１】図１は、本発明の実施形態に係る安全教育システムの全体構成を示す図である。
【図２】図２は、サーバマシンの機能ブロック図である。
【図３】図３は、事故事例データベースについて示す図である。
【図４】図４は、現地情報データベースについて示す図である。
【図５】図５は、クライアントマシンの機能ブロック図である。
【図６】図６は、本発明の実施形態に係る安全教育方法を示すフローチャートである。
【図７】図７は、事故事例の存在の通知をする一のステップを示すのフローチャートである。
【図８】図８は、事故事例の存在の通知をする他のステップを示すフローチャートである。
【図９】図９は、事故事例の提供をするステップを示すフローチャートである。
【図１０】図１０は、事故事例の選択をするステップを示すフローチャートである。
【図１１】図１１は、事故発生現場画像の表示をするステップを示すフローチャートである。
【図１２】図１２は、事故事例集のメインメニューページを示す図である。
【図１３】図１３は、ボイラー点検編メニューページを示す図である。
【図１４】図１４は、事故発生現場画像を表示するページを示す図である。
【図１５】図１５は、事故に関する質問を表示するページを示す図である。
【図１６】図１６は、事故発生状況全体像動画を表示するページを示す図である。
【図１７】図１７は、事故発生状況当事者視点動画を表示するページを示す図である。
【図１８】図１８は、安全対策状況動画を表示するページを示す図である。
【図１９】図１９は、ワンポイントアドバイスを表示するページを示す図である。
【図２０】図２０は、書類による事故事例集を示す図である。
【符号の説明】
【００８１】
１…サーバマシン
１１…制御部
１２…三次元データ生成部
１３…検索部
１４…通信部
１５…記憶部
１６…監視部
２…クライアントマシン
２１…制御部
２２…入力部
２３…表示部
２４…画像データ生成部
２５…記憶部
２６…通信部
３…ネットワーク
４１…事故事例データベース
４２…現地情報データベース
４３…設計図面データ
４４…事故に関する文字データ
４５…事故発生現場の三次元データ
４６…事故発生状況当事者視点動画データ
４７…事故発生状況全体像動画データ
４８…安全対策状況動画データ
４９…事故発生現場画像データ
５１…ボイラ点検編選択キー
５２…事例１選択キー
５３…視点操作キー
５４…事故に関する質問を表示するページへのリンク
５５…事故発生状況全体像動画を表示するページへのリンク
５６…事故発生状況当事者視点動画を表示するページへのリンク
５７…安全対策状況動画を表示するページへのリンク
５８…ワンポイントアドバイスを表示するページへのリンク
６１…事故発生現場画像
６２…事故発生状況全体像動画
６３…事故発生状況当事者視点動画
６４…安全対策状況動画
７１…作業者Ａ
７２…作業者Ｂ
７３…ボイラーの２号炉
７４…ＲＣ柱
７５…ドラム缶
７６…マシンハッチ
７６ａ…マシンハッチの蓋
７６ｂ…マシンハッチの開口部
７７…壁
７８…手摺り
７９…クレーン
１０１…事故事例集のメインメニューページ
１０２…ボイラー点検編メニューページ
１０３…事故発生現場画像を表示するページ
１０４…事故に関する質問を表示するページ
１０５…事故発生状況全体像動画を表示するページ
１０６…事故発生状況当事者視点動画を表示するページ
１０７…安全対策状況動画を表示するページ
１０８…ワンポイントアドバイスを表示するページ
１０９…書類による事故事例集
【図１】
2007226515.tif 000003
【図２】
2007226515.tif 000004
【図３】
2007226515.tif 000005
【図４】
2007226515.tif 000006
【図５】
2007226515.tif 000007
【図６】
2007226515.tif 000008
【図７】
2007226515.tif 000009
【図８】
2007226515.tif 000010
【図９】
2007226515.tif 000011
【図１０】
2007226515.tif 000012
【図１１】
2007226515.tif 000013
【図１２】
2007226515.tif 000014
【図１３】
2007226515.tif 000015
【図１４】
2007226515.tif 000016
【図１５】
2007226515.tif 000017
【図１６】
2007226515.tif 000018
【図１７】
2007226515.tif 000019
【図１８】
2007226515.tif 000020
【図１９】
2007226515.tif 000021
【図２０】
2007226515.tif 000022